(57)【要約】【課題】偽造防止策に気付かれず、その仕様が判りにくい、偽造・複製が困難で、さらにデザイン効果を損なうことのない偽造防止策が施された印刷物及びその真偽判定方法の提供にある。【解決手段】基材１０上に、万線が潜像部とそれ以外の非潜像部とでなにり、該潜像部と非潜像部の位相を１／２ピッチずらしてなる万線モアレパターン１２が赤外線吸収物質を含むインキで形成され、該万線モアレパターン１２を覆うように赤外線吸収物質を含まない黒色系隠蔽層１４が施されている偽造防止策が施された印刷物１としたもので、それに赤外吸収の万線フィルム３０を重ね合わせ、赤外線吸収物質を検知する赤外検証機４０の下で万線モアレパターン１２の潜像部を顕像化する真偽判定方法とするものである。【選択図】図４
2005096267.tif 000002
【特許請求の範囲】
【請求項１】
基材の片面に、線部と非線部の比率が略１対１の同一万線ピッチによる万線が潜像部とそれ以外の非潜像部とで形成され、該潜像部と非潜像部の位相を１／２ピッチずらしてなる万線モアレパターンが赤外線吸収物質を含むインキで形成され、該万線モアレパターンを覆うようにもしくは該万線モアレパターンを除いた周辺に赤外線吸収物質を含まない黒色系隠蔽層が施されていることを特徴とする偽造防止策が施された印刷物。
【請求項２】
上記赤外線吸収物質を含まない黒色系隠蔽層上に、パール顔料を含有するパールインキ層もしくは偏光コレステリック高分子液晶顔料を含有する偏光性インキ層が全面もしくはパターン状に形成されていることを特徴とする請求項１記載の偽造防止策が施された印刷物。
【請求項３】
上記請求項１または２に記載の偽造防止策が施された印刷物上に、該印刷物を構成する万線モアレパターンと同一ピッチ、幅の赤外線を吸収するパターンでなる万線フィルムを前記万線モアレパターンと同一方向に重ね合わせ、赤外線吸収物質を検知する赤外検証機の下で前記万線モアレパターンの潜像部を顕像化することを特徴とする偽造防止策が施された印刷物の真偽判定方法。
【請求項４】
上記万線フィルムは、赤外検証機の所定の位置に固定されていることを特徴とする請求項３記載の偽造防止策が施された印刷物の真偽判定方法。
【発明の詳細な説明】
【技術分野】
【０００１】
本発明は、株券、商品券あるいはクレジットカード等有価証券類の他、商品用の封印シールやタグ類に偽造・複製の防止策として施す印刷物およびその印刷物の真贋を判定する真偽判定方法に関するものである。
【背景技術】
【０００２】
従来、株券、商品券さらにはクレジットカード等有価証券類の他、商品用の封印シールやタグ類に至るまで偽造・複製による不正使用を防止するため、精巧な印刷技術による印刷等が施されているのが一般的であったが、近年の偽造・複製による不正使用の頻発に鑑み、これら精巧な印刷等に加え特殊な偽造防止策が施されるようになってきた。
【０００３】
この特殊な偽造防止策として、例えばホログラムを貼付けたり、紫外線で発色する材料で画像パターンを施して紫外線照射で真偽判定をする方法、あるいは赤外線吸収物質を含有のインキによる画像パターン上に、赤外線吸収物質を含まない混色墨（カーボンブラックを含有しない墨）インキで覆うことにより、一見単なる墨文字等として視認されるが、この赤外線吸収物質（カーボンブラック等）を含有のインキによる画像パターンは赤外線領域（赤外カメラ等）にて検証できる偽造防止策として有効な手段がある（例えば、特許文献１参照。）。
【０００４】
さらにまた、万線が略１対１の幅の潜像部と非潜像部とでなり、その万線が潜像部と非潜像部で位相が１／２ピッチずらしてある印刷物に、この万線と同形状の万線パターンを有する万線フィルムを重ね合わせると、非潜像部がこの万線フィルムの万線パターンで隠され、潜像部のみが像として浮かび上がって見えるようになり、この潜像部の像の有無で真偽判定をする「万線モアレ方式」という技術を用いた方法がある。
【０００５】
上記「万線モアレ方式」について、さらに詳しく説明すると、例えば図６の正面図に示すように、幅とピッチが略１対１の万線パターンがハート型の潜像部（３４）とそれ以外の非潜像部（３２）とを形成し、図６に示すＡ部の部分拡大図として図７に示すように、潜像部（３４）と非潜像部（３２）の万線パターンの万線方向が同方向で、その位相を１／２ピッチずらしてあり、この像を万線モアレパターン（１２）といい、図８の正面拡大図に示すように、この万線と略同形状（万線幅（Ｗ）とピッチ（Ｐ））の万線パターンを有する万線フィルム（３０）を重ね合わせると、非潜像部（３２）がこの万線フィルム（３０）の万線パターンで隠され、図９に示すように、潜像部（３４）のみがハート型の画像として浮かび上がって見えるようになるものである。この万線モアレパターン（１２）を偽造防止用として使用する場合、図６に示すように、潜像部（３４）の近傍に例えば三角形の可視像（３６）を形成しておき、通常肉眼では三角形の可視像（３６）のみが見えているので、一見してこの可視像（３６）が偽造防止策と思わせるもので、実質の真偽判定は、図８に示すように、上記万線フィルム（３０）をこの万線モアレ像に重ね合わせることによって、図１０に示すように、可視像（３６）に加えハート型の潜像部（３４）の有無で行うものであり、さらにこの万線モアレパターン等を複雑にした万線モアレ方式の印刷物がある（例えば、特許文献２参照。）。
【０００６】
以下に、上記先行技術文献を示す。
【特許文献１】特開平７−６８９８２号公報
【特許文献２】特開２００１−２１３０４２号公報  以上いずれの方法も開発当時は、カラーコピー機やスキャナー等を駆使して複写物を作製しても、その複製は困難で偽造防止策として有効な技術であった。
【発明の開示】
【発明が解決しようとする課題】
【０００７】
しかしながら、最近では上記のホログラム技術や紫外線照射で真偽判定する技術は一般化されてきて、偽造・複製が比較的容易なものとなってきた。また、上記赤外線吸収物質を含有するインキによるパターン形成とそれを混色墨インキで覆い、この印刷物の検証に赤外線領域（赤外カメラ等）にて行う方法では、この赤外カメラ等検証機の入手は困難ではあっても可能なものであり、かつカーボンブラック等赤外線吸収物質含有のインキによるパターンと混色墨インキの単なる組み合わせでは、その仕様が判れば容易に同等の製品が偽造できるという問題点があった。
【０００８】
さらにまた、上記「万線モアレ方式」の技術を利用した方法は、万線モアレパターン自体に特徴があり、その偽造防止等特徴に気付き、それなりの知見と技術のある者であれば比較的容易に作製可能（コピーでも可能）なものであり、またこのパターンを大きくしないとモアレ効果が発揮でき難いこと、そのモアレ部分は一定のパターンが占有し、それ以外のデザインが組み込めない等制約があること、コピーが困難なように淡色としたものでは、淡色過ぎるとモアレ効果が弱くなり、逆に濃色ではますますデザイン効果を損なうことなどの問題点があるものであった。
【０００９】
本発明は、かかる従来技術の問題点を解決するものであり、その課題とするところは、偽造防止策が施されていることに気付くことがなく、かつその仕様が判りにくく、偽造・複製が困難で、さらにデザイン効果を損なうことのない偽造防止策が施された印刷物およびその真偽判定方法を提供することにある。
【課題を解決するための手段】
【００１０】
本発明に於いて上記課題を達成するために、まず請求項１の発明では、基材の片面に、線部と非線部の比率が略１対１の同一万線ピッチによる万線が潜像部とそれ以外の非潜像部とで形成され、該潜像部と非潜像部の位相を１／２ピッチずらしてなる万線モアレパターンが赤外線吸収物質を含むインキで形成され、該万線モアレパターンを覆うようにもしくは周辺を含め該万線モアレパターンを除いた部分に赤外線吸収物質を含まない黒色系隠蔽層が施されていることを特徴とする偽造防止策が施された印刷物としたものである。
【００１１】
また、請求項２の発明では、上記赤外線吸収物質を含まない黒色系隠蔽層上に、パール顔料を含有するパールインキ層もしくは偏光コレステリック高分子液晶顔料を含有する偏光性インキ層が全面もしくはパターン状に形成されていることを特徴とする請求項１記載の偽造防止策が施された印刷物としたものである。
【００１２】
また、請求項３の発明では、上記請求項１または２に記載の偽造防止策が施された印刷物上に、該印刷物を構成する万線モアレパターンと同一ピッチ、幅の赤外線を吸収するパターンでなる万線フィルムを前記万線モアレパターンと同一方向に重ね合わせ、赤外線吸収物質を検知する赤外検証機の下で前記万線モアレパターンの潜像部を顕像化することを特徴とする偽造防止策が施された印刷物の真偽判定方法としたものである。
【００１３】
さらにまた、請求項４の発明では、上記万線フィルムは、赤外検証機の所定の位置に固定されていることを特徴とする請求項３記載の偽造防止策が施された印刷物の真偽判定方法としたものである。
【発明の効果】
【００１４】
本発明は以上の構成であるから、下記に示す如き効果がある。
【００１５】
即ち、上記請求項１に係る発明によれば、基材の片面に、線部と非線部の比率が略１対１の同一万線ピッチによる万線が潜像部とそれ以外の非潜像部とで形成され、該潜像部と非潜像部の位相を１／２ピッチずらしてなる万線モアレパターンが赤外線吸収物質を含むインキで形成され、該万線モアレパターンを覆うようにもしくは該万線モアレパターンを除いた周辺に赤外線吸収物質を含まない黒色系隠蔽層が施されていることによって、一見単なる墨ベタパターン等として視認されて偽造防止としての隠し文字等に気付かず、たとえ赤外カメラ等検証機により隠し文字等を検証できると判断されたとしても、上記赤外カメラ等検証機で確認できた万線モアレパターンでは、そのからくり（潜像部とそれ以外の非潜像部とで形成されている等）が判らないので、偽造・複製が困難な印刷物とする効果がある。
【００１６】
また、上記請求項２に係る発明によれば、上記赤外線吸収物質を含まない黒色系隠蔽層上に、パール顔料を含有するパールインキ層もしくは偏光コレステリック高分子液晶顔料を含有する偏光性インキ層が全面もしくはパターン状に形成されているので、上記黒色系隠蔽層にデザイン効果を付与するとともに、この黒色系隠蔽層でパールインキ層のパール効果あるいは偏光性インキ層の偏光効果を助長し、かつ上記万線モアレパターンを大きくしてモアレ効果を発揮することができ、そのモアレ部分にもデザインが組み込める等デザインに制約がなく、かつ万線モアレパターンの淡濃色に係るモアレ効果に関係がないということからデザイン効果を損なうことのない偽造防止策が施された印刷物を提供できる効果がある。
【００１７】
また、上記請求項３に係る発明によれば、上記記載の偽造防止策が施された印刷物上に、この印刷物を構成する万線モアレパターンと同一ピッチ、幅の赤外線を吸収するパターンでなる万線フィルム（例えば銀塩でなる白黒フィルム）を重ね合わせ、赤外線吸収物質を検知する検証機（モニター付赤外カメラ等）の下では、赤外線吸収物質を含まない黒色系隠蔽層を通し、赤外線吸収物質でなり白黒のコントラストのある万線モアレパターンの潜像部を顕像化して浮かび上がらせ、その印刷物の真偽判定を容易にする方法とするもので、このように専用の検知機と万線フィルムとを必要とするので、一般の人には真偽判定の困難な偽造防止策が施された印刷物とする効果がある。
【００１８】
また、上記請求項４に係る発明によれば、万線フィルムを、赤外検証機の所定の位置に固定しているので、手で万線モアレパターンに重ね合わせることに比べれば、万線フィルムの存在が隠蔽されるとともに、判定が容易になり、かつ検証機としてのセキュリティがより向上する判定方法とすることができる。
【００１９】
従って本発明は、株券、商品券あるいはクレジットカード等有価証券類の他、商品用の封印シールやタグ類に偽造・複製の防止策として施す印刷物およびその印刷物の真贋を判定する真偽判定方法として、優れた実用上の効果を発揮する。
【発明を実施するための最良の形態】
【００２０】
以下本発明を実施するための最良の形態を図面を用いて詳細に説明する。
【００２１】
図１は、本発明の偽造防止策が施された印刷物の一事例を示す側断面図であり、図２は本発明の偽造防止策が施された印刷物の他の一事例を示す側断面図である。
【００２２】
上記請求項１に係る発明は、例えば図１（ａ）および図１（ｂ）に示すように、基材（１０）上に、万線モアレ方式の万線モアレパターン（１２）が赤外線吸収物質を含むイン
キで形成され、この万線モアレパターン（１２）を覆うように赤外線吸収物質を含まない黒色系隠蔽層（１４）が施されている偽造防止策が施された印刷物（１）である。
【００２３】
さらにまた、上記請求項１に係る発明では、例えば図１（ａ）および図１（ｂ）に示すように、基材（１０）上に、万線モアレ方式の万線モアレパターン（１２）が赤外線吸収物質を含むインキで形成され、この万線モアレパターン（１２）の周辺を含め万線モアレパターン（１２）を除いた部分に赤外線吸収物質を含まない黒色系隠蔽層（１４）が施されている偽造防止策が施された印刷物（１）とすることもできる。
【００２４】
上記のように、図１（ａ）および図１（ｂ）に示す赤外線吸収物質を含むインキでなる万線モアレ方式の万線モアレパターン（１２）が黒色系隠蔽層（１４）で覆われているか、あるいは上記図２に示すように、赤外線吸収物質を含むインキでなる万線モアレ方式の万線モアレパターン（１２）の周辺を含め万線モアレパターン（１２）を除いた部分に黒色系隠蔽層（１４）が施されている偽造防止策が施された印刷物（１）とすることによって、一見単なる黒色ベタ（印刷面に濃淡の差や白く抜けている部分がなく、全面が黒色）のパターンとしか見えず、よって偽造防止としての隠し文字等万線モアレパターン（１２）に気付かないので、偽造・複製のないものとすることができ、たとえ赤外検証機（例えばモニター付赤外カメラ等）で赤外線吸収物質を含まない黒色系隠蔽層（１４）を通して隠し文字等パターンを見ることができると判断し、そのモニターで読み取った場合でも、この万線モアレパターン（１２）のからくりが判らないと、偽造・複製等不正行為が困難な偽造防止策が施された印刷物（１）とするものである。
【００２５】
また、上記請求項２に係る発明は、例えば図１（ａ）に示すように、赤外線吸収物質を含まない黒色系隠蔽層（１４）上に、パール顔料を含有するパールインキ層（２０）がパターン状に形成されている偽造防止策が施された印刷物（１）である。
【００２６】
さらにまた、上記請求項２に係る発明では、例えば図１（ｂ）に示すように、赤外線吸収物質を含まない黒色系隠蔽層（１４）上、あるいは図２に示すように、万線モアレ方式の万線モアレパターン（１２）を含めた黒色系隠蔽層（１４）上に、パール顔料を含有するパールインキ層（２０）が全面に形成されている偽造防止策が施された印刷物（１）とすることもできる。
【００２７】
上記のように、少なくとも（赤外線吸収物質を含まない）黒色系隠蔽層（１４）上に透明なパールインキ層（２０）をパターン状にあるいは全面に施すことによって、パターン状あるいは全面のパール効果が助長され、かつデザインに制約がなくよりそのデザイン効果が向上した偽造防止策が施された印刷物（１）とすることができる。
【００２８】
また、上記請求項２に係る発明では、パール顔料を含有するパールインキ層（２０）に代え、偏光コレステリック高分子液晶顔料を含有する透明な偏光性インキ層（図示せず）とすることもでき、パールインキ層（２０）の場合と同様な効果を有する偽造防止策が施された印刷物（１）とすることができる。
【００２９】
また、上記請求項３に係る発明は、例えば図１（ａ）に示すような基材（１０）上に、万線モアレ方式の万線モアレパターン（１２）が赤外線吸収物質を含むインキで形成され、この万線モアレパターン（１２）を覆うように赤外線吸収物質を含まない黒色系隠蔽層（１４）が施され、この黒色系隠蔽層（１４）上にパール顔料を含有する透明なパールインキ層（２０）がパターン状に形成されている偽造防止策が施された印刷物（１）の真偽判定方法であって、この偽造防止策が施された印刷物（１）を肉眼で見ると、例えば図３の正面図に示すように、基材（１０）上に、黒色系隠蔽層（１４）があり、この黒色系隠蔽層（１４）上の一部に鮮やかなパール光沢を有するパターン状「ＴＰ」のパールインキ
層（２０）があるものとして視認されるものを、例えば図４の概略正面図に示すように、この偽造防止策が施された印刷物（１）上にこの印刷物を構成する万線モアレパターン（１２）と同一ピッチ、幅の銀塩フィルム等でなる万線フィルム（３０）を重ね合わせ、赤外線吸収物質を検知する赤外カメラ（４２）とモニター（４４）とでなる赤外検証機（４０）のモニター（４４）上で観察すると、例えば図７に示すような万線フィルムを重ね合わせない時の潜像部（３４）と非潜像部（３２）とでなる万線モアレパターン（１２）が、図１（ａ）に示す透明なパールインキ層（２０）とともに赤外線吸収物質を含まない黒色系隠蔽層（１４）を通して、図１０に示すように、潜像部（３４）が浮かび上がったようなパターンとして観察される偽造防止策が施された印刷物（１）の真偽判定方法である。
【００３０】
さらにまた、上記請求項４に係る発明は、例えば図５の正面概略図に示すように、銀塩フィルム等でなる万線フィルム（３０）を、赤外検証機（３０）を構成する赤外カメラ（４２）の前面に配設固定した偽造防止策が施された印刷物（１）の真偽判定方法としたものである。
【００３１】
このように、赤外検証機（４０）に万線フィルム（３０）を固定することによって、手で印刷物（１）のモアレ万線パターン（１２）に重ね合わせることに比べれば、モニター（４４）上での真偽判定が容易になることと、この万線フィルム（３０）の存在が隠蔽され、かつ検証機としてのセキュリティがより向上する判定方法とすることができる。
【００３２】
以下に、本発明の偽造防止策が施された印刷物およびその真偽判定方法に係わる材料等について詳細に説明する。
【００３３】
まず、本発明の偽造防止策が施された印刷物（１）を構成する基材（１０）としては、製品や商品等によって選定され、例えば、株券、商品券等証券類に用いられる上質紙を含めた証券用紙、カード等に用いられるポリエチレンテレフタレート（ＰＥＴ）等プラスチックシート、ゲームや封印シール、タグ類にはプラスチックフィルムや上質紙、板紙等が挙げられるが、これらに限定するものではない。
【００３４】
また、万線モアレパターン（１２）を形成する赤外線吸収物質を含むインキとしては、赤外光波長領域のみ吸収する赤外線吸収材料をバインダー樹脂と溶媒等で溶解、分散させて印刷方式に合わせたインキとするもので、このインキとしては、カーボンブラックを顔料とする墨インキ（オフセット、グラビア用等）が最も汎用性のあるものとして挙げられ、さらに、例えば五二酸化リンを主成分とし酸化鉄或いは酸化銅或いは両者を含むリン酸結晶粉末、五二酸化リンを主成分としＦｅ２＋またはＣｕ２＋イオンを含むガラス系粉末、金属錯体の赤外線吸収材、シアニン系、フタロシアニン系、ナフタロシアニン系、アントラキノン系、コロニックメチン系、アズレオニオム系、ピリリウム系等の赤外線吸収染料が挙げられ、またそのバインダーとしては、ポリ塩化ビニル、酢酸ビニル−塩化ビニル共重合体、ポリアクリル、ポリスチレン、ポリアミド等樹脂が挙げられ、その溶媒としてはアマニ脂、キリ脂、トルエン、アセトン、イソプロピルアルコール等アルコール類、メチルエチルケトン、エチレングリコール等が挙げられ、それぞれ（グラビア、フレキソ、オフセット等）の印刷方式と基材に応じて上記バインダーや溶媒を選定し、かつ粘度や転移性、乾燥性等を考慮して調整し赤外線吸収物質を含むインキとすることができる。
【００３５】
また、赤外線吸収物質を含まない黒色系隠蔽層（１４）としては、各印刷方式に応じた混色墨インキ（カーボンブラックが含有する墨インキを除いたプロセスインキを混合して黒色系のインキとしたもの）を用い、それぞれのフレキソ印刷、オフセット印刷、グラビア印刷あるいはスクリーン印刷方式等でパターン印刷して厚さ０．５〜５μｍ程度の黒色系隠蔽層（１４）とすることができる。
【００３６】
また、上記黒色系隠蔽層（１４）上に施すパールインキ層（２０）としては、パール顔料が各印刷方式のバインダー樹脂と溶剤等に分散されているもので、そのパール顔料としては、例えば、無毒性で唯一の有機化合物である天然パールエッセンス、最も理想的な形状を持つ塩基性炭酸鉛、無毒性で、結晶の形状が不規則な酸塩化ビスマス、無毒性で、天然マイカを酸化チタンや酸化鉄などの金属酸化物で被覆したものが挙げられるが、高価であること、耐酸性、耐硫化性に劣る等から後者の天然マイカの金属酸化物でなる微粒子が印刷物の実用としては好適なものであり、そのバインダー樹脂と溶剤等は、上記万線モアレパターン（１２）の場合と同様のものを用いることができる。
【００３７】
さらにまた、上記黒色系隠蔽層（１４）上に施す偏光性インキ層としては、フレーク状の偏光性顔料が各印刷方式のバインダー樹脂と溶剤等に分散されているもので、その偏光性顔料としては、右偏光性コレステリック高分子液晶顔料及び／又は左偏光性コレステリック高分子液晶顔料が挙げられ、この偏光性インキ層に円偏光板を通して見ると、光沢感のあるカラーシフト（例えば緑色から青色に等）した印刷物として視認され、デザイン効果を向上させるものとすることができる。
【００３８】
また、本発明の偽造防止策が施された印刷物の真偽判定方法に使用する万線フィルム（３０）としては、赤外線を吸収する万線が施されているフィルムで、例えば現像で黒色銀となる銀塩フィルムが最も汎用性の高いものとして挙げられ、その他にカーボンブラックが顔料色材として含有する各印刷方式の墨インキで、透明なポリエチレンテレフタレートフィルム（ＰＥＴ）に万線パターンを印刷したものが大量に製造できることから好適なフィルムとして使用することができる。
【００３９】
また、本発明の偽造防止策が施された印刷物の真偽判定方法に使用する赤外検証機としては、例えば半導体レーザーによる波長７５０ｎｍ、７８０ｎｍ、８１０ｎｍ、８３０ｎｍ、９０５ｎｍ、９４０ｎｍ等のレーザー光を照射して可視領域の光をカットしたセンサーや赤外カメラなどが搭載されていて、これらが捉えた画像を表示するモニターを備えているものが挙げられ、これら検証機により白色下地のポジパターンとして万線パターン（１２）がモニター上等で識別されるようになっている。
【図面の簡単な説明】
【００４０】
【図１】本発明の偽造防止策が施された印刷物の一実施の形態を説明するもので、（ａ）は、その一事例の側断面図であり、（ｂ）は、他の一事例の側断面図である。
【図２】本発明の偽造防止策が施された印刷物の他の一実施の形態を側断面で表した説明図である。
【図３】本発明の偽造防止策が施された印刷物の一実施の形態を説明する正面図である。
【図４】本発明の偽造防止策が施された印刷物の真偽判定方法の一実施の形態を説明する正面概略図である。
【図５】本発明の偽造防止策が施された印刷物の真偽判定方法の他の一実施の形態を説明する正面概略図である。
【図６】本発明の偽造防止策が施された印刷物に係る万線モアレ方式の一事例を説明するための正面図である。
【図７】上記図６に示す正面図のＡ部の拡大図である。
【図８】上記図７に示す正面拡大図の万線モアレパターンに万線フィルムを重ね合わせた一事例を説明するための正面拡大図である。
【図９】上記図８に示す正面拡大図の万線モアレパターンに万線フィルムを重ね合わせた際に浮かび上がって見える潜像部の一事例を示す正面図である。
【符号の説明】
【００４１】
１‥‥偽造防止策が施された印刷物
１０‥‥基材
１２‥‥万線モアレパターン
１４‥‥黒色系隠蔽層
２０‥‥パールインキ層
３０‥‥万線フィルム
３２‥‥非潜像部
３４‥‥潜像部
３６‥‥可視像
４０‥‥赤外検証機
４２‥‥赤外カメラ
４４‥‥モニター
Ｐ‥‥万線ピッチ
Ｗ‥‥万線幅
【図１】
2005096267.tif 000003
【図２】
2005096267.tif 000004
【図３】
2005096267.tif 000005
【図４】
2005096267.tif 000006
【図５】
2005096267.tif 000007
【図６】
2005096267.tif 000008
【図７】
2005096267.tif 000009
【図８】
2005096267.tif 000010
【図９】
2005096267.tif 000011